(57)【特許請求の範囲】
【請求項１】
制御デバイスのユーザに対して、サウンド信号源に関連する現在のプリセットを表す値の指示をディスプレイ上に提供し、
前記サウンド信号源に関連し、ユーザが選択可能な複数の新しいプリセットの値のうち１つの指示を同時に提供し、
所望の新しいプリセット値が選択されるまで、前記ユーザが前記制御デバイスを操作して、前記ディスプレイ上に提供される新しいプリセットの値を変更することによって、前記現在の値を前記新しい値に変更することを可能にする編集オプションを該ユーザに提供し、
前記制御デバイスが、前記確認された新しいプリセット値を有効にするために第２デバイスと通信する、ことを含む方法。
【請求項２】
前記プリセットが、マルチメディアシステムにおけるサウンド信号源に関連する、請求項１に記載の方法。
【請求項３】
前記マルチメディアシステムがオーディオシステムを含む、請求項２に記載の方法。
【請求項４】
前記指示が、ディスプレイ上のグラフィカルアイテムを含む、請求項１に記載の方法。
【請求項５】
前記ディスプレイが前記制御デバイスの一部である、請求項４に記載の方法。
【請求項６】
前記可能な新しいプリセット値をユーザが確認できるようにすることも含む、請求項１に記載の方法。
【請求項７】
前記値がステーションの識別子を含む、請求項１に記載の方法。
【請求項８】
制御デバイスのユーザに対して、
サウンド信号源の選択可能な複数の新しいプリセットの値のうち１つを現在のプリセットの値と同時にディスプレイ上に指示し、
所望の新しいプリセット値が選択されるまで、前記ユーザが、前記制御デバイスを操作して、前記指示されている新しいプリセットの値を変更することによって、前記複数の新しいプリセットの指示を別々に確認できるようにし、
前記新しい値が示されている間で、前記指示が確認される前に、前記示された可能な新しい値に従って別のデバイスの動作を変更する、ことを可能にすること含む方法。
【請求項９】
前記値がステーションの識別子を含む、請求項８に記載の方法。
【請求項１０】
前記ステーションがラジオ局を含み、別のデバイスがラジオ受信機を含む、請求項９に記載の方法。
【請求項１１】
前記サウンド信号源が演奏されるアイテムのソースを含み、前記ソースが前記プリセットに応答する演奏のためにアイテムを記憶するように構成される、請求項８に記載の方法。
【発明の詳細な説明】
【技術分野】
【０００１】
本発明は、遠隔制御に関する。
【背景技術】
【０００２】
典型的遠隔制御、たとえば音楽システムの遠隔制御では、遠隔制御ユニットが、ユーザコマンドを受け取り、動作のためにベースユニットに送信する。たとえば、コマンドによって、ベースユニットに、コンパクトディスク音楽ソースから選択されたＦＭラジオ局に切り替えるように指示することができる。
【発明の開示】
【課題を解決するための手段】
【０００３】
本発明は、１つの態様において、概括的には、プリセットに関連する現在の値の指示を制御デバイスのユーザに提供し、同時に、プリセットの可能な新しい値の指示を提供するステップを含む方法を特徴とする。
【０００４】
本発明の実施形態には、下記の特徴の１つまたは複数を含めることができる。プリセットは、マルチメディアシステムによって演奏される作品に関連する。マルチメディアシステムに、オーディオシステムが含まれる。指示に、ディスプレイ上のグラフィカルアイテムが含まれる。ディスプレイは、制御デバイスの一部である。ユーザは、可能な新しいプリセット値を確認できるようにされる。制御デバイスは、第２デバイスと通信して、確認された新しいプリセット値を有効にする。値には、ステーションの識別子が含まれる。
【０００５】
本発明は、もう１つの態様において、概括的には、制御デバイスのユーザが、プリセットの可能な新しい値を示し、指示を別々に確認できるようにし、新しい値が示されている間に、指示が確認される前に、示された可能な新しい値に従って別のデバイスの動作を変更するステップを含む方法を特徴とする。
【０００６】
本発明の実施形態には、下記の特徴の１つまたは複数が含まれる。値に、ステーションの識別子が含まれる。ステーションに、ラジオ局が含まれ、メディアプレイヤに、ラジオ受信機が含まれる。ステーションに、演奏されるアイテムのソースが含まれ、ソースは、プリセットに応答する演奏のためにアイテムを格納（記憶）するように構成される。
【０００７】
本発明は、別の態様において、概括的には、制御デバイスのユーザに、最近呼び出されたプリセットの値の指示を提供することを含む方法を特徴とし、プリセット値のそれぞれが、電子デバイスで演奏される作品のソースに関連し、異なるプリセット値は異なるソースに関連する。
【０００８】
本発明の実施形態に、下記の特徴の１つまたは複数が含まれる。ユーザは、プリセットの１つを識別できるようにされ、電子デバイスは、プリセットの識別に応答してその状態を変化させられる。
【０００９】
本発明は、別の態様において、概括的には、値の階層の１つのレベルで可能な選択の値を表示し、ユーザが、階層の１つのレベルで値の１つを選択できるようにし、階層の１つのレベルの少なくとも一部が表示されている間に、１つのレベルの少なくとも別の部分を隠して、ユーザによって選択された値の１つに対応する階層の第２の下位レベルの可能な選択を示すステップを含む方法を特徴とする。本発明の実施形態に、現在表示されている階層のレベルの識別を表示することを含めることができる。
【００１０】
本発明は、別の態様において、概括的には、ユーザが、サウンドシステムの一部だけのミュート（消音）を引き起こすために制御デバイスでコマンドを入力できるようにし、ユーザが、サウンドシステムの少なくとも別の部分の消音を引き起こすコマンドを入力できるようにすることを含む方法を特徴とする。
【００１１】
本発明の実施形態に、下記の特徴の１つまたは複数を含めることができる。コマンドは、ユーザによるコマンドの入力の持続時間に依存する。サウンドシステムの一部に、遠隔制御デバイスに関連する特定の部分が含まれる。サウンドシステムの他の部分に、サウンドシステムのすべての部分が含まれる。
【００１２】
本発明の他の特徴および長所は、以下の説明および特許請求に範囲から明白になるであろう。
【発明を実施するための最良の形態】
【００１３】
下記の例の一部に、音楽システムが含まれる。しかし、この技法は、他のオーディオシステム、および、たとえばあらゆる種類のオーディオ、ビデオ、イメージ、またはマルチメディアマテリアル（材料）を演奏するのに使用されるシステムに適用することができる。
【００１４】
図１に示すように、マルチゾーン音楽システム１０に、様々なゾーン、たとえば家の様々な部屋に配置された音楽再生ステーション１２、１４、１６、１８および２０が含まれる。ユーザは、制御ユニット（たとえば遠隔コントローラ）２２、２４、２６、２８、および３０を使用して、音楽システムおよび音楽再生ステーションの動作を制御する。制御ユニットを、特定のゾーンに関連付けることができ、制御ユニットは、ベースステーション３２と通信して、そのゾーンの音楽再生ステーションまたはマルチゾーン音楽システム内の他の音楽再生ステーションを制御する。制御ユニットは、再生ステーションが制御ユニットからコマンドを受け取る能力（たとえば、赤外線（ＩＲ）リンクを介して）を有する場合に、音楽再生ステーションと直接に通信することもできる（制御ユニットへの通信は、典型的には、ベースステーションからのみ到来する）。たとえば、赤外線通信機能を有するラジオおよび／またはＣＤプレイヤなどの独立型デバイスを、そのようなシステムと共に使用することができる。独立モードで使用されるときに、ラジオまたはプレイヤは、（１方向）ＩＲ通信を使用して、専用の制御ユニットによって制御される。そのようなラジオおよび／またはＣＤプレイヤは、マルチルームシステムの音楽再生ステーションとしても使用することができる。この場合に、ラジオ／プレイヤを、その専用のＩＲ遠隔を使用してローカルに、またはマルチゾーン音楽システムの制御ユニットによって制御されるときにベースステーションを介して、制御することができる。マルチゾーン音楽システムの制御ユニットは、ＩＲを介して音楽再生ステーションを直接に制御することもできる。
【００１５】
図２に示すように、遠隔制御ユニット５０は、ユーザが１つまたは複数の音楽再生ステーションおよび音楽システムの動作を選択し、制御するためのディスプレイ５２およびボタンを含んでいる。遠隔制御ユニット５０は、ベースユニット３２（図１）と無線で通信し、ベースユニット３２は、遠隔制御ユニットと音楽システムの間で両方向に、表示されるユーザコマンドおよび情報を中継する。
【００１６】
情報は、ディスプレイ５２でユーザに示され、ユーザは、ディスプレイ５２に提示されたオプションから選択することによって、音楽再生ステーションおよび音楽システムを制御する。ユーザは、順方向矢印ボタン５４、逆方向矢印ボタン５６、およびエンターキー５８を使用して、ディスプレイ５２に表示されたオプションから選択する。これらのボタンの機能は、ディスプレイ５２に表示されているオプションの現在の組に非常に依存する可能性があるが、一般に、エンターボタン５８は、特定のオプションを選択するのに使用され、順方向矢印ボタン５４および逆方向矢印ボタン５６は、ディスプレイ５２上の画面の間でのナビゲーションに使用される。
【００１７】
遠隔制御ユニット５０には、ユーザが音楽再生ステーションおよび音楽システムを制御できるようにする他のボタンも含まれる。オン／オフボタン６０によって、遠隔制御５０および音楽システムの電源がオンと、オフにされる。ソースボタン６２は、ディスプレイ５２にソース選択画面（図３）を出し、この画面から、ユーザは、たとえばＡＭラジオ、ＦＭラジオ、コンパクトディスク（ＣＤ）／デジタル多用途ディスク（デジタル・バーサタイル・ディスク：ＤＶＤ）、ケーブル／衛星、テレビジョン、ビデオデッキ、補助ソース、およびローカルソースなどの使用可能なオーディオソースのリストからオーディオのソースを選択することができる。ミュートボタン６４を用いると、ユーザが、マルチゾーン音楽システムの１つまたは複数のゾーンでスピーカをミュート（消音）できるようになる。
【００１８】
遠隔制御ユニット５０には、プリセットボタン６６も含まれる。ユーザが、プリセットボタン６６を押すときに、プロセットのリストが、ディスプレイ５２に表示される。たとえば、プリセットリストは、たとえば、関心があるものとして事前に選択されている、ＦＭと称するソース内のＦＭ局など、ソース内のステーションのリストである。プリセットソースが選択される（ユーザによって与えられる指示によって）ときに、音楽システムは、指示または選択に応答してその状態を変更し、選択されたプリセットに関連するステーションから再生する。もちろん、ソースが、放送ラジオ局であるときには、ユーザがステーションを選択した後に、ユーザは、再生されるものの選択またはシーケンスに対する制御を有しない。
【００１９】
その一方で、ソースが、たとえばＣＤである場合に、ユーザは、他の制御ボタンを使用して、ＣＤからのアイテムの選択および再生のシーケンスを制御することができる。制御ボタンに、バック（戻る）ボタン６８（たとえば、ＣＤのトラックなどのアイテムを以前の位置に「巻き戻す」ための）、フォワード（進む）ボタン７０（たとえば、後の位置へアイテムを進めるための）、および、システムに再生または一時停止をさせるために呼び出すことができる再生／一時停止ボタン７４が含まれる。
【００２０】
ユーザは、シャッフルボタン７６を使用して、アイテムのライブラリを含むソースに属するアイテム（トラックまたは作品とも称する）の再生をシステムにランダムにシャッフルさせることができる。たとえば、ソースがＣＤである場合に、シャッフルボタンによって、ＣＤ上のトラックのランダムな選択および順序で再生される。もう１つの例は、下で言及するいわゆるｕＭｕｓｉｃシステムまたは類似システムに関連するプリセット（ｕＭｕｓｉｃプリセット、ｕＭｕｓｉｃステーション、またはｕＳｔａｔｉｏｎと称する）を使用して演奏される作品に関するシャッフルボタンの使用である。どの場合でも、システムは、プリセットの一部として、システム全体（またはその一部）の状態を記憶することができる。たとえば、システムが、オーディオ出力１および２（下の説明を参照されたい）を再生している場合に、システムのプリセットによって、所与の時間に各ストリームの状態および他の制御設定を記憶することができ、そのときに各音楽再生ステーションが演奏していたストリームを記憶することもできる。
【００２１】
類似ボタン７８は、現在のソースから、現在演奏されつつあるアイテムに類似する音楽アイテムを選択し、再生する。全ＣＤボタン８２は、ＣＤ全体を再生させる。再生される全ＣＤは、全ＣＤボタンが押されたときに現在再生中のトラックを含むＣＤである。全ＣＤボタンは、記憶された音楽ソースを聞いているときに適用される。再生リストボタン８０は、再生リストのトラックを、所定のシーケンスで再生させる。マイナス選択ボタン８６は、現在再生されているアイテムに関する否定のプリファレンス（好み）を示すのに使用される。プラス選択ボタン８８は、現在再生されているアイテムに関する肯定のプリファレンスを示すのに使用される。ボタン７６から８８は、時々一緒にｕＭｕｓｉｃ（商標）と呼ばれる機能すなわち、再生されたアイテムに関するユーザが示したプリファレンスに部分的に基づいて、演奏に使用可能なアイテムの１つまたは複数のライブラリまたはサブライブラリからの将来のアイテムの選択をユーザ制御できるようにするシステムの機能をユーザが使用できるようにする。そのようなシステムに関する追加情報が、２００２年６月２５日出願の米国特許出願第１０／１８０９００号および２００３年１２月２４日出願の米国特許出願第１０／−−−号に記載されており、この両方が、参照によってその全体を本明細書に援用される。ｕＭｕｓｉｃの特徴に類似する少なくともいくつかの特徴を含むシステムの他の例が存在し得る。
【００２２】
ボリューム制御７２は、再生されつつあるアイテムのボリュームを上げ下げするために、上または下に起動することができる。
図３では、ソースが記憶された音楽９１、ＦＭラジオ９２、ＡＭラジオ９３、ＣＤ／ＤＶＤ９４、ケーブル／衛星９５、およびＴＶ９６であるが、この図からわかるように、ユーザは、エンターボタンを上に（たとえばディスプレイ５２に向かって）押して、リスト内の現在強調表示されているカテゴリの前のソースにナビゲートすること、およびエンターボタン５８を下に（たとえば他のボタンに向かって）押して、現在強調表示されているカテゴリの後のソースに移動することによって、エンターボタン５８を使用してソースのリスト内で上下に移動することができる。ユーザが、リスト内で上下にナビゲートする際に、ソースのそれぞれが、順番に強調表示される。ユーザが、画面に表示された最下部のソース（たとえば、画面９０内のＴＶ９６）までナビゲートし、エンターボタン５８を下に押す（たとえば、他のボタンに向かって）場合に、リストに含まれるが現在は画面に表示されていない他のソースが、たとえばスクロールすることによって表示される。ユーザは、エンターボタン５８をまっすぐに、リモートコントロールの表面に垂直に押して、強調表示されたアイテムを選択することによって、強調表示されたソースを選択することができる。ボタン５８は、上に押す、下に押す（ディスプレイに向かってまたは離れて押す）および押し込むといった３つの動作モードを有する。エンターボタン５８を押すことによって、音楽システムが選択されたソースに「チューニング（同調）」され、ソースに関連する画面（たとえば図４Ｃの画面）が表示される。
【００２３】
ユーザは、逆方向矢印ボタン５６を押すことによって、ソース選択画面から出て、前の画面に戻って、ナビゲーションバーのキャンセルオプションを呼び出すことができる（３つのボタン５４、５６、および５８が、画面の最下部のナビゲーションバーに沿った３つの位置に整列されて、このボタンの１つを押すことによって、バーで識別される対応するアクションが呼び出されることをユーザに暗示することに留意されたい）。
【００２４】
音楽システムは、複数の関連するストリーム（オーディオ出力）を有する場合がある。各音楽再生ステーションを、ストリームのいずれかの再生のために割り当てることができる。一例で、システムは、２つの異なるストリーム（オーディオ出力）だけを許可する。一例で、２つのストリームに、オーディオ１およびオーディオ２というラベルが付けられる。しかし、他の数のストリームが可能である。音楽システムは、複数のゾーンをサポートすることができる。特定のゾーンに関する出力を選択するために、各ゾーンに、ゾーン１またはゾーン２などの一意の名前を付けることができる。ゾーンは、通常、オーディオを作ることができる区域を指す。通常、ゾーンは、部屋であるが、ゾーンを、部屋の組合せまたは部屋の一部とすることができる。遠隔制御は、１つのゾーンに関連する。通常、１つの音楽再生ステーションが、１つのゾーンに関連するが、複数の音楽再生ステーションを、単一のゾーンに関連付けることもできる。
【００２５】
ソース選択画面９０は、オーディオ１出力のソースを選択するのに使用される（画面最上部のヘッダに示されている）。ユーザは、順方向矢印ボタン５４を押すことによって、異なる出力のソースを選択することができる。ユーザが、順方向矢印ボタンを押す場合に、オーディオ２のソース選択画面が表示される。
【００２６】
図４Ａ、４Ｂ、４Ｃ、および４Ｄに示されているように、プリセットの表示、編集、および選択に使用される画面１００、１０２、１０４、および１０５に、ヘッダバー１０６、本体１０８、およびナビゲーションバー１１０が含まれる。ヘッダバー１０６には、画面の内容に関連するヘッダが表示される。本体１０８には、情報が表示される。ユーザは、ナビゲーションバーに含まれるオプションに基づいて、本体１０８内をナビゲートし、アイテムを選択する。
【００２７】
図４Ａに示された例では、ＦＭプリセット選択画面と称する画面１００に、６つのプリセットＦＭラジオ局のリストが含まれる。ユーザは、図３の画面でＦＭソースが強調表示されているときに、遠隔制御デバイス５０のプリセットボタン６６を押すことによって、ＦＭプリセット選択画面にナビゲートする。このリストは、プリセット番号１１２によって編成され、プリセット局のバンドまたは周波数１１４がリストされる。たとえば、プリセット「２」は、１０３．３のバンドまたは周波数で動作するラジオ局にセットされている。特定のプリセット番号が、プリセットソースを関連付けられていない場合に、「ｅｍｐｔｙ（空）」メッセージ１１６が、プリセット番号１１２の隣に表示され、そのプリセットに値が記憶されていないことを示す。画面１００では、プリセットが、局周波数１１４によって識別されるが、局のコールサインなどその他の情報を使用して、プリセット局を識別することができる。
【００２８】
ユーザは、エンターボタンを上に（たとえばディスプレイ５２に向かって）押してリスト内の現在のアイテムの前のアイテムにナビゲートするか、エンターボタン５８を下に（たとえば他のボタンに向かって）押して現在強調表示されているアイテムの下のアイテムに移動することによって、局のリストの上下に移動することができる。ユーザが、リストの上下にナビゲートする際に、局のそれぞれが、順番に強調表示される。ユーザは、順方向矢印ボタン５４、エンターボタン、または逆方向矢印ボタン５６を適当に使用することによって、ナビゲーションバー内のオプションのそれぞれを呼び出すことができる。
【００２９】
ＦＭプリセット選択画面から、ユーザは、特定のプロセット局を再生させ、画面から出て、あるいはプリセットの編集を選択することができる。局を再生させるには、ユーザが、上下にナビゲートして、所望の局を強調表示し、エンターボタンを押す。画面から出るには、ユーザが、逆方向矢印ボタン５６を押す。プリセットを編集するには、ユーザが、順方向矢印ボタン５４を押す。
【００３０】
ユーザが、編集オプションを呼び出すときに、図４ＢのＦＭプリセット編集画面１０２が、表示され、画面１００で強調表示されていた局が、自動的に強調表示される。局が強調表示されているときに、画面の局の右に、ユーザが編集を承認するときに既存の値と置換される新しい値を示す数字も表示される。
【００３１】
局が強調表示されている間に、ユーザは、プリセットの新しい値１２６を入力（または変更）することができる。現在のプリセット１２４および新しい値１２６の両方が、同時にディスプレイ５２に表示される。強調表示されたプリセットの新しい値を入力するために、ユーザは、センターボタン５８を上下に押して上下にチューニングするか、戻るボタン６８および進むボタン７０を押して後または前にシーク（探索）することができる。戻るボタン６８を押すと、少なくとも最小の局強度を有する前の局にシークし、進むボタン７０を押すと、少なくとも最小の局強度を有する次の局にシークする。戻るボタン６８を押し、保持することによって、チューナ周波数がすばやく減り、ボタンが離されたときに、少なくとも最小の強度を有する前の局にシークする。同様に、進むボタン７０を押し、保持することによって、チューナ周波数がすばやく増え、ボタンが離されたときに、少なくとも最小の強度を有する次の局にシークする。センターボタン５８を上下に押し、保持することによって、周波数値がすばやく増減する。
【００３２】
現在のプリセット値１２４および新しいプリセット値１２６を同時にディスプレイ５２で可視にすることによって、ユーザが、もたらされる変更が自分の望むものであることを確信するのが簡単になり、ユーザが、変更を望まない場合に簡単に現在の設定を保持できるようになる。提案される変更は、ユーザがエンターボタン５８を押すことによってナビゲーションバーの「Ｏｋ」オプションを呼び出すまでは記憶されない。それが行われるまで、ユーザは、提案される新しい局の値を変更し続けることができる。ユーザは、右矢印ボタン５４を押して、プリセットを完全にクリアし、（Ｅｍｐｔｙ）としてマークすることもできる。
【００３３】
ユーザが、新しい周波数を入力する（またはそれを変更する）ときに、ユーザがＯｋオプションを呼び出す前に、音楽システムは、一時的に、新しいプリセット値１２６の周波数に変更し、その局を再生する。この聴覚フィードバックによって、ユーザが、変更されたプリセット値を承認する前に、局および周波数がユーザの望むものであることを確認できるようになる。プリセットを現在のプリセット周波数１２４から新しいプリセット周波数１２６に変更するには、ユーザが、遠隔デバイス５０のエンターボタン５８を押すことによって、ナビゲーションバー１１０ｂからＯｋ１２８を選択する。ユーザが、プリセットに対する変更を入力することを望まない場合には、ユーザは、遠隔制御ユニット５０の戻るボタン５６を押すことによって、キャンセル１３０を選択する。
【００３４】
図４Ａに戻ると、ユーザが、ＦＭプリセット選択画面１００から特定のプリセットを選択する（Ｏｋオプションを呼び出すことによって）ときに、遠隔制御ユニット５０は、画面１０４に示された局ディスプレイを生成する。画面１０４には、局１３０に関する情報が含まれる（たとえば、その局が再生する音楽のタイプ、局のコールサインおよびバンド１３２、および局の周波数１３８）。画面１０４には、局に関連するプリセット番号１３６も含まれる。局表示画面を抜け、ＦＭプリセット選択画面に戻るには、ユーザが、遠隔制御デバイス５０の戻る矢印ボタン５６を押すことによって、ナビゲーションバー１１０ｃからＢａｃｋ（戻る）オプション１４０を選択する。
【００３５】
ユーザは、センターボタン５８を上下に押すことによって、現在のＦＭプリセットをトグルすることができる。ユーザは、右矢印ボタンを押して、同調画面１０５（図４Ｄ）に切り替えることができ、この画面で、ユーザは、センターボタン５８を上に押して、所定のサイズステップだけ同調周波数を上げるか、エンターボタン５８を下に押して、１ステップだけ周波数を下げることができる（図４Ｃおよび４Ｄを参照されたい）。ＦＭラジオの同調に使用される通常のステップサイズは、１００Ｋｈｚ（または０．１Ｍｈｚ）であるが、他のサイズのステップも可能である。
【００３６】
その代わりに、ユーザが、新しい局にシークすることができる。戻るボタン６８を押すことによって、所定の閾値より高い信号強度を有する前の局にシークし、進むボタン７０を押すことによって、所定の閾値を超える信号強度を有する次の局にシークする。戻るボタン６８を押し、保持することによって、同調周波数がすばやく下がり、ユーザが戻るボタン６８を離したときに、十分な信号強度を有する前の局にシークする。同様に、進むボタン７０を押し、保持することによって、チューナ周波数がすばやく増え、進むボタン７０を離したときに、十分な信号強度を有する次の局にシークする。
【００３７】
他の例で、プリセットリストが、ＦＭラジオ局である必要はなく、他のソース（たとえば、ｕＭｕｓｉｃステーション、ＴＶチャネル、またはＡＭラジオ局）とすることができる。複数のプリセットリスト（異なるソースに関連する）の記憶によって、ユーザ（または他のユーザ）が、複数のソースから好みのチャネルおよびセレクションを記憶できるようになる。たとえば、システムに、ＡＭラジオ、ＦＭラジオ、ケーブル、衛星、テレビジョン、ビデオデッキ、補助ソース、およびローカルソースが含まれる場合に、ソースごとにプリセットリストを記憶することができる。複数のプリセットリストを、単一のソースに関連付けることができる。特定のソースのプリセット画面にナビゲートするために、ユーザは、システムの出力のソースを選択し、プリセットボタン６６を押す。たとえば、ＡＭプリセットのリストを見るために、ユーザは、音楽ソースにＡＭをセットし、プリセットボタンを押す。
【００３８】
図５を参照すると、画面１５０に、様々なソースからのプリセット（たとえば、異なるプリセットリストで呼び出されたプリセット）を含む、最近にアクセスされたプリセットアイテムのリストが示されている。ユーザは、プリセットをサポートしないソースが前に選択されている（たとえば、画面９０のソース選択画面から）ときにプリセットボタン６６を押すか、オン／オフボタンを押すことによってシステムの電源を入れた直後にプリセットボタンを押すことによって、最近アクセスされたプリセットのリストにナビゲートする（最近のヒストリプリセットリストを呼び出す他の方法またはキーストロークの組合せも、使用することができる）。ソースが選択されているときに、ユーザがプリセットボタン６６を押す場合には、最近アクセスされたプリセットリストではなく、選択されたソースのプリセット選択画面が表示される。プリセット選択画面を用いると、ユーザが、ソースについてプリセットを選択できるようになる。画面１５０のプリセット選択画面の例では、プリセット（１）１５２とプロセット（６）に、ＦＭラジオ局がセットされ、プリセット（３）１５６およびプリセット（５）１６０に、ＡＭラジオ局がセットされ、プリセット（２）１５４およびプリセット（４）１５８に、他のソース（この例では、ｕＭｕｓｉｃ関連プリセット）がセットされている。他のソースに、音楽システムから使用可能なソースのどれでも含めることができる。ユーザが最近アクセスされたプリセットを修正するのではなく、このリストは、ユーザによる最近の選択に基づいて、システムによって更新される。
【００３９】
この例では、ユーザが、最も最近に９３．７のＦＭラジオ局にアクセスしており、したがって、ＦＭ９３．７が、プリセット（１）１５２の最も最近のプリセットとして記憶されている。ユーザは、エンターボタンを使用し、このボタンを上に（たとえば、ディスプレイ５２に向かって）押して、リストで現在強調表示されているアイテムの前のアイテムにナビゲートすることによって、およびエンターボタン５８を下に（たとえば、他のボタンに向かって）押して、現在強調表示されているアイテムの後のアイテムに移動することによって、最も最近にアクセスされたプリセットのリストで上下に移動することができる。ユーザが、リストを上下にナビゲートするときに、プリセットのそれぞれが、順番に強調表示される。音楽システム出力を、プリセットのリストのプリセットに変更するために、ユーザは、リストの中でナビゲートし、所望のプリセットを強調表示する。所望のプリセットが強調表示されたならば、ユーザは、エンターボタン５８を押して、システムの出力をプリセットに変更する。プリセットリストに含まれるプリセットが、音楽再生ステーションの出力として現在選択されているときには、その出力の名前が、プリセットの横に表示される。Ａｕｄｉｏ  １（オーディオ１）は、コンソールの出力であり、これは、すべての音楽再生ステーションから使用可能である。特定の再生ステーションに関連する遠隔が、プリセットを選択する場合に、プリセット内に含まれるソースが、オーディオ出力に適用され、音楽再生ステーションが、必要な場合にそのオーディオ出力に切り替えられる。たとえば、Ｊａｚｚプリセットは、現在、画面１５０で「Ｏｎ  Ａｕｄｉｏ  １」指定１６４によって示されるように、オーディオ１で再生されつつある。最近のプリセット画面を出るには、ユーザが、逆方向矢印ボタン５６を押す。
【００４０】
図６Ａ、６Ｂ、および６Ｃを参照すると、画面１７０、１８０、および２００に、記憶された音楽の選択が示されている。記憶された音楽ソースには、大量のディスク、または多数のアイテムを使用のために記憶することができる位置のデバイスを含めることができる。記憶された音楽は、音楽システム自体に、または音楽システムの外部の位置に記憶することができる。記憶された音楽は、たとえばジャンル、アーティスト、アルバム、およびトラックに従って配置されて、データベース内で階層的に配置することができる（記憶システムに関する追加情報、音楽再生システムに対する関係、ならびにそのようなデータベースの作成および管理は、前に示した特許出願に記載されている）。ユーザは、階層内をナビゲートすることによって、すべての記憶された音楽の特定のサブセットを選択する。この実施例では、音楽データベースが階層的に配置されるが、他のデータベースを、類似する形でナビゲートすることができる。
【００４１】
ユーザは、上で図３に関して説明したように記憶された音楽ソースを選択することによって、記憶された音楽の画面１７０にナビゲートする。記憶された音楽ソースに記憶された音楽に関する情報に、記憶された音楽の画面に示されているように、タイトル１７１、アーティスト１７２、プリセット１７３、および再生状態１７４を含めることができる。記憶された音楽の画面に、戻るオプション１７５およびライブラリオプション１７６を有するナビゲーションバーも含まれる。ユーザが、逆方向矢印５６を押すことによって戻るオプション１７５を選択するときに、前に表示された画面が表示される。ユーザが、順方向矢印ボタン５４を押すことによってライブラリオプション１７６を選択するときに、音楽ライブラリ検索画面（図６Ｂに図示）が表示される。この実施例のプリセット１７３には、プリセット番号とユーザの名前の両方が含まれる。プリセット（たとえば、記憶された音楽ソースのプリセット）を、特定のユーザに関連付けることができる。プリセットは、ユーザの裁量で、ムード、音楽スタイル、または他の編成原理に関連付けることができる。
【００４２】
検索画面１８０には、記憶された音楽ソース内の音楽を検索するのに使用される全般的なカテゴリのリスティングが含まれる。画面１８０では、現在のジャンル設定１８２が、ロック／ポップであり、アーティスト設定１８４が、ビートルズであり、アルバム設定１８８が、すべてのアルバムであり、トラック設定１９０が、すべてのトラックである。画面１８０には、現在の設定に関連するアルバムおよびトラックの数１９２も表示される。ユーザが、音楽の選択された組の再生を望む場合に、ユーザは、ナビゲーションバー１９６から再生オプション１９４を選択する。ユーザが、ジャンルまたはアーティストなど、アイテムの組を選択する場合に、システムは、ｕＭｕｓｉｃ特徴の作動態様をユーザがどのように設定したかによって決定される順序でその組からのアイテムを再生する。ユーザは、エンターボタン５８を上に（たとえば、ディスプレイ５２に向かって）押して、リストで現在強調表示されているアイテムの前のアイテムにナビゲートするか、エンターボタン５８を下に（たとえば他のボタンに向かって）押して、現在強調表示されているアイテムの次のアイテムに移動することによって、カテゴリのリスト内で上下に移動することができる。ユーザが、リスト内で上下に移動するときに、アイテムのそれぞれが順番に強調表示される。ユーザが、特定のカテゴリの現在の設定を編集することを望む場合に、ユーザは、特定のカテゴリにナビゲートし（カテゴリを強調表示するなど）、そのカテゴリについて右矢印ボタン５４を押して、選択画面、たとえばアーティスト選択画面２００に入る。
【００４３】
画面２００は、ユーザがアーティストカテゴリ１８４を強調表示し、遠隔制御５０の順方向矢印ボタン５４を押すことに応答して生成される。したがって、アーティストのリストが、ディスプレイの本体の一部２０２に表示される。ディスプレイの残りの部分２０６に、前の画面１８０の部分的なビューが含まれる。新しい画面が、前の画面に完全にオーバーレイしない（すなわちそれを隠さない）ので、ユーザは、前のオプションを見ることができ、この画面に入るためにどこからナビゲートしてきたかを見失わない。したがって、階層の上位レベルの一部がまだ可視であると同時に、別の部分が隠蔽される。ユーザは、エンターボタン５８を上に（たとえば、ディスプレイ５２に向かって）押して、現在強調表示されているアイテムの前のアイテムにナビゲートするか、エンターボタン５８を下に（たとえば他のボタンに向かって）押して、現在強調表示されているアイテムの後のアイテムに移動することによって、アーティスト選択画面でナビゲートする。ユーザが、リストを上下にナビゲートするときに、セレクションのそれぞれが、順番に強調表示される。特定のセレクション、この実施例ではアーティストを選択するために、ユーザは、所望のアーティストまでナビゲートし、エンターボタン５８を押す。画面２００に示された選択画面で選択を行うときに、ユーザは、画面１８０に示された階層の前のレベルに戻る。ユーザが、選択を行わないと判断する場合には、ユーザは、逆方向矢印ボタン５６を押すことによって、キャンセルオプション２０８を選択する。この選択によって、ユーザは、画面２００に示された階層の前のレベルに戻る。
【００４４】
ライブラリ検索画面１８０内のカテゴリごとに、ユーザは、上でアーティストカテゴリに関して説明したように選択画面にナビゲートする。ユーザは、各カテゴリの特定のセレクションを選択することができ、あるいは、カテゴリに関連するすべてのトラックを再生またはレーティングすることを選択することができる。ユーザは、カテゴリ内のすべてのトラックを再生リストに追加することも選択することができる。現在の検索設定に対応するアルバムおよびトラックの数が、アルバムおよびトラックリスティング１９２に表示される。ユーザは、エンターボタンを押すことによって再生オプション１９４を選択することによって、検索からの記憶された音楽のサブセットを再生することを選択することができる。ユーザは、ボタン８６または８８を使用してサブセットをレーティングすることができ、これらを、ボタン８０を使用して再生リストに追加することができる。階層ナビゲーションは、３レベル以上の深さにすることができる。
【００４５】
この実施例は、音楽階層に関するが、この表示方法は、この実施例に制限されない。階層内の前のレベルの一部を示すための画面の部分的オーバーレイは、あらゆる階層的セレクションメニューに適用することができる。さらに、この表示方法を使用して、階層内の複数のレベルの間でナビゲートすることができる。複数のレベルが使用されるときには、ディスプレイ５２で、前のレベルのそれぞれの一部を可視のままにすることができ、前のレベルだけを可視のままにすることができ、階層の設定された数のレベルを可視のままにすることができる。
【００４６】
もう一度図１を参照すると、いくつかの場合に、ユーザが、システム全体について、１つまたは複数の特定の部屋のスピーカを消音することを望む場合がある。この例では、音楽再生ステーション１２、１４、１６、１８、および２０が、それぞれ関連する遠隔制御２２、２４、２６、２８、および３０によって制御される。各遠隔制御２２、２４、２６、２８、および３０に、音楽システムのサウンドを消音するミュートボタン６４（図２に図示）が含まれる。ミュートボタンは、図９の表に示されているように、ユーザがこのボタンを押し下げ、保持する長さと、ミュートボタンが押されたときのシステムの状態に基づいて、異なる結果を生成する。
【００４７】
ミュートボタン６４が、短く押される場合に、消音または消音解除が、制御ユニットに関連する単一のゾーンに影響する。ユーザが、ミュートボタンを押し下げ、所定の時間（たとえば２〜４秒）だけ保持する場合に、消音または消音解除は、音楽システムのすべてのゾーンに影響する。一方のボタンが単一のゾーンに影響し、他方のボタンが複数のゾーンに影響する、別々のミュートボタンを使用できることにも留意されたい。
【００４８】
遠隔制御に関連するゾーンのサウンドも、音楽システムの他のゾーンのサウンドも消音されていない場合に、ミュートボタン６４を押すと、制御ユニットに関連するゾーンが消音される。ユーザが、ミュートボタン６４を押し、保持する場合には、マルチゾーンシステムのすべての部屋のサウンドが消音される。
【００４９】
遠隔制御に関連するゾーンのサウンドが消音され、音楽システムの他のゾーンのサウンドが消音されていない場合に、ミュートボタン６４を押すと、制御ユニットに関連するゾーンが消音解除され、他のゾーンは、消音されないままになる。ユーザが、ミュートボタン６４を押し、保持する場合には、マルチゾーンシステムのすべての部屋のサウンドが、消音される。
【００５０】
遠隔制御に関連するゾーンのサウンドが、消音されず、音楽システムの他のゾーンのサウンドが、消音されている場合に、ミュートボタン６４を押すと、制御ユニットに関連するゾーンが消音され、他のゾーンは消音されたままになる。ユーザが、ミュートボタン６４を押し、保持する場合には、制御ユニットに関連するゾーンが、消音され、他のゾーンが、消音されたままになる。
【００５１】
遠隔制御に関連するゾーンのサウンドと、音楽システムの他のゾーンのサウンドの両方が消音されている場合に、ミュートボタン６４を押すと、制御ユニットに関連するゾーンが消音解除され、他のゾーンは消音されたままになる。ユーザが、ミュートボタン６４を押し、保持する場合には、マルチゾーンシステムの、ミュートボタンの前の押下げおよび保持によって消音されたすべてのゾーンのサウンドが、消音解除される。
【００５２】
たとえば、ユーザが、キッチンにおり、遠隔制御デバイス２２のミュートボタン６４を押す場合に、キッチンに配置された音楽再生ステーション１２からのサウンドが、消音される。ユーザが、ミュートボタンを保持する場合に、キッチンに加えて、他の部屋（たとえば、浴室、寝室１、寝室２、および居間）が消音される。その後、ユーザが、ミュートボタンを押す（すべての部屋が消音されている間に）場合に、キッチンが、消音解除されるが、浴室、寝室１、寝室２、および居間は、消音されたままになる。ユーザが、ミュートボタンを押下げ、保持する場合に、キッチンが、もう一度消音される。ユーザが、ミュートボタンを保持する場合に、消音されていない他のすべての部屋が、消音される。たとえば、ユーザが、すべての部屋を消音し、ミュートボタンを押し、キッチンを消音解除し、その後、ミュートボタンを押し、保持する場合に、消音されたすべての部屋が、消音されたままになり、キッチンが、もう一度消音される。
【００５３】
ユーザが、マルチゾーンシステムのすべてのゾーンの電源をオンまたはオフにすることを望む場合がある。オン／オフボタン６０を、ミュートボタンに似た形で動作するように構成することができ、この場合に、オン／オフボタン６０を押すと、その制御に関連する音楽再生ステーションが、電源をオンまたはオフにされ、オン／オフボタン６０を押し、保持すると、マルチゾーンシステム内の複数の音楽再生ステーション（および、一実施形態で、すべての音楽再生ステーション）が、電源をオンまたはオフにされる。図７を参照すると、ユーザが、マルチゾーンシステムのすべてのゾーンのサウンドをオフにすることを望むときに、遠隔制御デバイスが、スクリーンショット２２０に示されているように、確認メッセージ２１８を表示する。この画面から、ユーザは、エンターボタン５８を押すことによって、ナビゲーションバー内の「ｙｅｓ」オプション２２２を選択することによって、すべての部屋の電源をオフにすることを確認することができる。ユーザが、すべての部屋の電源をオフにすることを望まない場合には、ユーザは、逆方向矢印ボタン５６を押すことによってナビゲーションバーから「Ｎｏ」オプション２２４を選択する。類似する確認画面を用いて、ユーザは、マルチゾーンシステムのすべてのゾーンの電源をオンにするコマンドを確認できるようになる。
【００５４】
図８に示すように、マルチゾーン音楽システムの上で述べた機能性を提供するために、このシステムに、１つまたは複数の制御ユニット２５０、ベースユニット２５２、および複数の音楽再生ステーション２５４が含まれる。制御ユニットは、遠隔制御ユニット（図２に図示）とするか、マルチゾーン音楽システムの音楽再生ステーションのディスプレイとすることができる。制御ユニットは、ユーザにオプションを提示し、ユーザは、制御ユニットを使用して、１つまたは複数の音楽再生ステーション２５４の出力を修正することを選択する。ユーザによって行われる選択が音楽再生ステーション２５４の機能性に影響するようにするために、制御ユニット２５０は、ベースステーション２５２と通信し、ベースステーションは、その通信を処理し、ユーザ入力コマンドに基づいて個々の音楽再生ステーション２５４を制御する。ベースステーション、音楽再生ステーション、および制御ユニットの他の構成も可能である。
【００５５】
ユーザが選択を行うために、制御ユニット２５０に、ディスプレイ２５６およびユーザ入力デバイス２５８が含まれる。ユーザは、制御オプションを見、ディスプレイ２５６に表示されるオプションに基づいて選択を行う（ユーザ入力デバイス２５８を使用することによって）ことができる。ベースステーション２５２に、データベース２６８（たとえば記憶された音楽のデータベース）およびプロセッサ２７２を含めることができる。ユーザの入力したコマンドに応答して、ベースユニット２５２は、プロセッサ２７２を使用してコマンドを処理し、情報を制御ユニット２５０または音楽再生ステーション２５４に中継することができる。遠隔制御ユニット２５０に、ベースユニットからの情報を処理し、ディスプレイ２５６を制御するプロセッサ２６０も含まれる。ベースステーションのプロセッサおよび遠隔制御ユニットのプロセッサは、それぞれ、上で説明した機能を実行するプログラムを実行する。
【００５６】
制御ユニット２５０は、制御ユニット２５０の送信機２６２からベースユニット２５２の受信機２７６に信号を送って、ユーザが入力したコマンドを制御ユニット２５０からベースユニット２５２に中継する。同様に、ベースユニット２５２は、ベースユニット２５２の送信機２７４から制御ユニット２５０の受信機２６４に信号を送って、ベースユニットから制御ユニットに情報を中継する。
【００５７】
遠隔制御プロセッサおよびベースユニットプロセッサは、デジタル電子回路、コンピュータハードウェア、ファームウェア、ソフトウェア、またはこれらの組合せで実施することができる。遠隔制御プロセッサおよびベースユニットプロセッサは、データ処理装置、たとえばプログラマブルプロセッサ、コンピュータ、または複数のコンピュータによる実行のため、またはその動作を制御するために、コンピュータプログラム製品すなわち、情報担体、たとえば機械可読記憶装置または伝搬される信号で有形に実施されるコンピュータプログラムとして、実施することができる。コンピュータプログラムは、コンパイルされる言語および解釈（インタープリット）される言語を含む任意の形のプログラミング言語で記述することができ、独立型プログラム、モジュール、コンポーネント、サブルーチン、またはコンピューティング環境での使用に適する他の単位を含む、任意の形で展開することができる。コンピュータプログラムは、１つのコンピュータで、または、１つのサイトにあるか複数のサイトにまたがって分散され、通信ネットワークによって相互接続された複数のコンピュータでの実行のために展開することができる。
【００５８】
遠隔制御に、ベースユニットで動作する複数のプロセスを含めることができる。ベースユニットは、ユーザ入力に応答して結果を生成する。結果は、クライアントシステムに送られ、ユーザインターフェースとして表示される。ユーザインターフェースの取り込まれた絵を、画面と称する。
【００５９】
コンピュータプログラムの実行に適するプロセッサに、たとえば、汎用および特殊用途のマイクロプロセッサと、すべての種類のデジタルコンピュータの１つまたは複数のプロセッサの両方が含まれる。一般に、プロセッサは、命令およびデータを読取専用メモリまたはランダムアクセスメモリあるいはその両方から受け取る。コンピュータの本質的な要素は、命令を実行するプロセッサと、命令およびデータを記憶する１つまたは複数の記憶装置である。一般に、コンピュータは、データを記憶する１つまたは複数の大容量記憶装置、たとえば磁気ディスク、光磁気ディスク、または光ディスクを含み、あるいは、これからデータを受け取るかこれにデータを転送するように機能的に結合される。コンピュータプログラム命令およびデータを実施するのに適する情報担体には、たとえば、たとえばＥＰＲＯＭ、ＥＥＰＲＯＭ、およびフラッシュメモリデバイスなどの半導体メモリデバイス；たとえば内蔵ハードディスクまたは取外し可能ディスクなどの磁気ディスク；光磁気ディスク、ならびにＣＤ−ＲＯＭディスクおよびＤＶＤ−ＲＯＭディスクを含む、すべての形の不揮発性媒体が含まれる。プロセッサおよびメモリを、特殊目的論理回路によって増補するか、これに組み込むことができる。
【００６０】
ユーザとの相互作用（対話）を提供するために、遠隔制御を、ユーザに情報を表示するための、たとえばＣＲＴ（陰極線管）またはＬＣＤ（液晶ディスプレイ）モニタなどのディスプレイデバイスと、ユーザがコンピュータに入力を供給できるようにする、マウスまたはトラックボールなどのポインティングデバイスおよびキーボードを有するデバイスで実施することができる。他の種類のデバイスを使用して、ユーザとの相互作用を提供することができ、たとえば、ユーザに提供されるフィードバックを、たとえば視覚フィードバック、聴覚フィードバック、または触覚フィードバックなどのあらゆる形の感覚的フィードバックとすることができ、ユーザからの入力を、音響、音声、または触覚入力を含む任意の形で受け取ることができる。
【００６１】
他の実施形態が、特許請求の範囲に含まれる。たとえばビデオおよびイメージなどの他のマルチメディアフォームを有するシステムを使用することができる。
【図面の簡単な説明】
【００６２】
【図１】マルチゾーンシステムを示すブロック図である。
【図２】制御ユニットを示す図である。
【図３】ソース選択画面を示す図である。
【図４Ａ】ＦＭ画面を示す図である。
【図４Ｂ】ＦＭ画面を示す図である。
【図４Ｃ】ＦＭ画面を示す図である。
【図４Ｄ】ＦＭ画面を示す図である。
【図５】最近のプリセット画面を示す図である。
【図６】図６Ａ〜Ｃは、データベースナビゲーション画面を示す図である。
【図７】確認画面を示す図である。
【図８】システムを示すブロック図である。
【図９】表である。
【図１】
0004847018.tif 000002
【図２】
0004847018.tif 000003
【図３】
0004847018.tif 000004
【図４Ａ】
0004847018.tif 000005
【図４Ｂ】
0004847018.tif 000006
【図４Ｃ】
0004847018.tif 000007
【図４Ｄ】
0004847018.tif 000008
【図５】
0004847018.tif 000009
【図６】
0004847018.tif 000010
【図７】
0004847018.tif 000011
【図８】
0004847018.tif 000012
【図９】
0004847018.tif 000013